(57)【要約】      （修正有）【課題】連続フォームをジグザグ折りして製作され、改ざん防止機能およびページ抜け落ち機能を備え、セキュリティ性が高く、保全性に優れたノートブックおよび製造方法を提供する。【解決手段】連続フォームを構成する各単位フォーム１４のページ仕分けコード欄３５にページアドレス番号を印刷して、印刷された連続フォームをジグザグ状に折り畳み単位フォーム群を形成し、単位フォーム群毎に単位ユニットを連続して構成し、単位フォーム群４８の単位ユニットは、単位ユニット毎にフォーム幅方向に切断して、ジグザグ折りのノートブック５０を構成し、ノートブック５０は、各単位フォーム１４のノート面に、複数行の横罫線を備えたメイン記載欄３０と記入者および日付記載欄３２とを少なくとも備え、メイン記載欄３０の横罫線は少なくとも１行がマイクロ文字で印刷された罫線であり、各単位フォーム１４がジグザグ折りで展開して見開き可能に重ねる。【選択図】図３
2016016636.tif 000002
【特許請求の範囲】
【請求項１】
連続フォームを構成する各単位フォームのページ仕分けコード欄にページアドレス番号を、無端帯状印刷プレートを備えた複数の印刷装置で印刷して設け、
前記印刷された連続フォームを単位フォーム毎にジグザグ状に折り畳み、所要数の連続する単位フォームから単位フォーム群を形成し、前記単位フォーム群毎に単位ユニットを連続して構成し、
前記単位フォーム群の単位ユニットは、前記単位ユニット毎にフォーム幅方向に切断して、ジグザグ折りのノートブックを構成し、
前記ノートブックは、各単位フォームのノート面に、複数行の横罫線を備えたメイン記載欄と記入者および日付記載欄とを少なくとも備え、
前記メイン記載欄の横罫線は少なくとも１行がマイクロ文字で印刷された罫線であり、各単位フォームがジグザグ折りで展開して見開き可能に重ねられたことを特徴とするノートブック。
【請求項２】
前記連続フォームは各単位フォームのページ仕分けコード欄に、｛複数桁（２桁または３桁）＊複数組（３組または４組）｝の数字を順次組み合せて構成されるページアドレス番号が印刷された請求項１に記載のノートブック。
【請求項３】
前記連続フォームは、各単位フォームのページ仕分けコード欄にページアドレス番号を複数桁ずつ組をなして印刷する３組または４組の印刷装置が前記連続フォームの送り方向に配設され、
前記３組または４組の印刷装置は、各無端帯状印刷プレートに形成される複数桁の数字列が、順次（ｎ，ｎ＋１，ｎ＋２）もしくは（ｎ，ｎ−１，ｎ−２）個ずつまたは（ｎ，ｎ＋１，ｎ＋２，ｎ＋３）もしくは（ｎ，ｎ−１，ｎ−２，ｎ−３）個ずつ施され、
前記連続フォームの各単位フォームは、ページ仕分けコード欄に、｛ｎ＊（ｎ＋１）＊（ｎ＋２）｝もしくは｛ｎ＊（ｎ−１）＊（ｎ−２）｝または｛ｎ＊（ｎ＋１）＊（ｎ＋２）＊（ｎ＋３）｝もしくは｛ｎ＊（ｎ−１）＊（ｎ−２）＊（ｎ−３）｝の最小公倍数の異なるページアドレス番号が印刷された請求項１または２に記載のノートブック。
【請求項４】
前記連続フォームは、各単位フォームのページ仕分けコード欄に１０Ｐ〜１４Ｐの大きさの数字でページアドレス番号が印刷されるとともに、前記ページ仕分けコード欄の近傍にページアドレス番号と同じ数字が１Ｐ〜２Ｐの大きさで印刷された請求項３に記載のノートブック。
【請求項５】
前記メイン記載欄の最上位と最下位の横罫線は、印刷ポイントが０．７ポイントから１．０ポイントのマイクロ文字で印刷され、残りの横罫線は０．３ポイントから０．７ポイントのマイクロ文字で印刷された請求項１に記載のノートブック。
【請求項６】
前記メイン記載欄の最下行の横罫線は、一部が行途中から行末端に向って印刷ポイントが漸次大きくなったり、あるいは行始端から行途中に向って印刷ポイントが漸次小さくなる請求項１または２に記載のノートブック。
【請求項７】
ジグザグ折りして展開可能に重ねられた請求項１ないし６のいずれか１項に記載のノートブックがブックカバーで覆われ、
前記ブックカバーは、表表紙と裏表紙と背表紙とから見開き可能に設けられ、
前記ブックカバーの表表紙は、その裏面にページ管理表が貼着され、
前記裏表紙は、その裏面に前記単位ユニットの最終ページ側単位フォームが貼着されたことを特徴とするノートブック。
【請求項８】
前記ページ管理表は、ノートブックのページ表示欄、単位ユニット分のページアドレス番号を記載したページ仕分けコード欄、単位フォームの記載内容を表示するインデックスあるいは目次欄が備えられる請求項７に記載のノートブック。
【請求項９】
前記ページ管理表は、年月日表示欄およびサイン欄が設けられる請求項７または８に記載のノートブック。
【請求項１０】
給紙ロールから繰り出される連続フォームを、無端帯状印刷プレートを備えた印刷装置でフォーム一面にページ付けとともにマイクロ文字の横罫線を印刷した後、無端帯状印刷プレートを備えた別の複数の印刷装置で、前記連続フォームを構成する各単位フォームのページ仕分けコード欄にページアドレス番号の印刷を施し、
続いて印刷された連続フォームをジグザグ折り装置で単位フォーム毎にジグザグ折りして折り畳んでスタッカ上に堆積させ、
ジグザグ折りされた前記連続フォームは所要数の単位フォームからなる単位フォーム群毎に単位ユニットを連続して構成し、
前記単位フォーム群の単位ユニットは、単位ユニット毎にフォーム幅方向に切断して、切り離し、ノートブックを製造することを特徴とするノートブックの製造方法。
【請求項１１】
前記連続フォームは各単位フォームのフォーム面に横罫線を備えたメイン記載欄が形成され、前記メイン記載欄の横罫線は少なくとも一行の横罫線がマイクロ文字で印刷される罫線である請求項１０に記載のノートブックの製造方法。
【請求項１２】
前記連続フォームは、各単位フォームのフォーム面に記入者および日付記載欄を印刷する請求項１０または１１に記載のノートブックの製造方法。
【請求項１３】
前記ノートブックは、表表紙と裏表紙と背表紙とから見開き可能なブックカバーで覆い、
前記ブックカバー表表紙の裏面にページ管理表を貼着する一方、前記裏表紙の裏面に前記単位ユニットの最終ページ側単位フォームを貼着する請求項１０に記載のノートブックの製造方法。
【請求項１４】
給紙ロールから繰り出される連続フォームを、無端帯状印刷プレートを備えた印刷装置でフォーム一面にマイクロ文字の横罫線を印刷した後、無端帯状印刷プレートを備えた別の複数の印刷装置で、前記連続フォームを構成する各単位フォームのページ仕分けコード欄にページアドレス番号の印刷を施し、
続いて、前記連続フォームの表裏を反転させ、前記連続フォームの他面を無端帯状印刷プレートを備えた他の印刷装置でフォーム面を印刷して連続フォーム表裏両面に印刷を施し、
フォーム両面が印刷された連続フォームをジグザグ折り装置で単位フォーム毎にジグザグ折りして折り畳んでスタッカ上に堆積させ、
ジグザグ折りされた前記連続フォームは所要数の単位フォームからなる単位フォーム群毎に単位ユニットを連続して構成し、
前記単位フォーム群の単位ユニットは、単位ユニット毎にフォーム幅方向に切断し、切り離して、ノートブックを製造することを特徴とするノートブックの製造方法。
【発明の詳細な説明】
【技術分野】
【０００１】
本発明は、印刷が施された連続フォームをジグザグ折りして製作され、ページマネジメントが可能で改ざん防止機能、ページ抜落ち防止機能を備え、セキュリティ性が高く保全性に優れたノートブックおよびその製造方法に関する。
【背景技術】
【０００２】
帯状の連続フォーム（連続紙）に無端帯状印刷プレートを用いて連続的に印刷を施し、印刷された長尺の帯状連続フォームを製造する基本的な印刷技術を本発明者は開発した。無端帯状印刷プレートを用いて連続フォームに印刷を施す技術は、年金・保険や税金の納付用紙、カレンダ、契約書、取扱説明書、書籍の冊子等に広く応用されている。
【０００３】
また、近年は、印刷技術の進歩により、給紙ロールの連続フォームから、サービス券、旅行券、商品券、金券、株券、債券等のように、枚葉物の紙葉で高品質かつセキュリティ性の高い印刷にも広く利用されている。
【０００４】
ところで、従来のノートブックは、複数枚、例えば４０枚あるいは６０枚の枚葉物の中紙を表裏紙および裏表紙で覆い、側端側を固着あるいは綴じ合せて冊子状に構成して製造される。ノートブックの中紙は、枚葉物（枚葉紙）の各紙葉面に罫線が印刷されて構成される。罫線は実線あるいは破線で構成されるが、ノートブックの中紙は枚葉物（枚葉紙）で形成されている。
【先行技術文献】
【特許文献】
【０００５】
【特許文献１】特開２０１２−９６４９０号公報
【特許文献２】特開２０１１−５３４２４号公報
【特許文献３】特開昭６１−５９１５７号公報
【発明の概要】
【発明が解決しようとする課題】
【０００６】
既存のノートブックでは、冊子状に構成されて表表紙と裏表紙で覆われる枚葉物の中紙は、枚葉物（枚葉紙）が積層されて構成される。枚葉物で作られたノートブックでは、中紙の一部が欠落したり、抜け落ちて破損しても、ノートブックが不良品であることに気づかなかったり、ノートブックの中紙の一部にページ欠落部が生じても、その事実を確認することは困難である。
【０００７】
また、近年は複写機による印刷技術が発達しており、複写機ではセキュリティ性の高い印刷が求められ、ノートブックでも文字等の再現が難しいノートブックの開発が期待されている。既存のノートブックでは、表表紙および裏表紙間の枚葉物の中紙に改ざん防止機能やページ抜け落ち防止機能が備えられておらず、セキュリティ性の高いものとなっていない。
【０００８】
本発明は、上述した事情を考慮してなされたもので、連続フォームをジグザグ折りして製作され、ページ単位のマネジメントが可能で、改ざん防止機能およびページ抜け落ち機能を備え、セキュリティ性が高く、保全性に優れたノートブックおよびその製造方法を提供することを目的とする。
【０００９】
本発明の他の目的は、連続フォームをジグザグ状に折り畳んだジグザグ（経本）折りで製作され、枚葉物の中紙を冊子状に構成したノートブックとはタイプを異にするノートブックおよびその製造方法を提供するにある。
【課題を解決するための手段】
【００１０】
本発明に係るノートブックは、連続フォームを構成する各単位フォームのページ仕分けコード欄にページアドレス番号を、無端帯状印刷プレートを備えた複数の印刷装置で印刷して設け、前記印刷された連続フォームを単位フォーム毎にジグザグ状に折り畳み、所要数の連続する単位フォームから単位フォーム群を形成し、前記単位フォーム群毎に単位ユニットを連続して構成し、前記単位フォーム群の単位ユニットは、前記単位ユニット毎にフォーム幅方向に切断して、ジグザグ折りのノートブックを構成し、前記ノートブックは、各単位フォームのノート面に、複数行の横罫線を備えたメイン記載欄と記入者および日付記載欄とを少なくとも備え、前記メイン記載欄の横罫線は少なくとも１行がマイクロ文字で印刷された罫線であり、各単位フォームがジグザグ折りで展開して見開き可能に重ねられたことを特徴とするものである。
【００１１】
また、本発明に係るノートブックは、ジグザグ折りして展開可能に重ねられた請求項１ないし６のいずれか１項に記載のノートブックがブックカバーで覆われ、前記ブックカバーは、表表紙と裏表紙と背表紙とから見開き可能に設けられ、前記ブックカバーの表表紙は、その裏面にページ管理表が貼着され、前記裏表紙は、その裏面に前記単位ユニットの最終ページ側単位フォームが貼着されたことを特徴とするものである。
【００１２】
さらに、本発明に係るノートブックの製造方法は、給紙ロールから繰り出される連続フォームを、無端帯状印刷プレートを備えた印刷装置でフォーム一面にページ付けとともにマイクロ文字の横罫線を印刷した後、無端帯状印刷プレートを備えた別の複数の印刷装置で、前記連続フォームを構成する各単位フォームのページ仕分けコード欄にページアドレス番号の印刷を施し、続いて印刷された連続フォームをジグザグ折り装置で単位フォーム毎にジグザグ折りして折り畳んでスタッカ上に堆積させ、ジグザグ折りされた前記連続フォームは所要数の単位フォームからなる単位フォーム群毎に単位ユニットを連続して構成し、前記単位フォーム群の単位ユニットは、単位ユニット毎にフォーム幅方向に切断して、切り離し、ノートブックを製造することを特徴とする製造方法である。
【００１３】
さらにまた、本発明に係るノートブックの製造方法は、給紙ロールから繰り出される連続フォームを、無端帯状印刷プレートを備えた印刷装置でフォーム一面にマイクロ文字の横罫線を印刷した後、無端帯状印刷プレートを備えた別の複数の印刷装置で、前記連続フォームを構成する各単位フォームのページ仕分けコード欄にページアドレス番号の印刷を施し、続いて、前記連続フォームの表裏を反転させ、前記連続フォームの他面を無端帯状印刷プレートを備えた他の印刷装置でフォーム面を印刷して連続フォーム表裏両面に印刷を施し、フォーム両面が印刷された連続フォームをジグザグ折り装置で単位フォーム毎にジグザグ折りして折り畳んでスタッカ上に堆積させ、ジグザグ折りされた前記連続フォームは所要数の単位フォームからなる単位フォーム群毎に単位ユニットを連続して構成し、前記単位フォーム群の単位ユニットは、単位ユニット毎にフォーム幅方向に切断し、切り離して、ノートブックを製造することを特徴とする製造方法である。
【発明の効果】
【００１４】
本発明に係るノートブックおよびその製造方法では、各単位フォームのページ仕分けコード欄にページアドレス番号が印刷された連続フォームをジグザグ折りして重ね、所要数の連続する単位フォームから単位フォーム群の単位ユニットを連続して構成し、単位フォーム群の単位ユニット毎にまたは複数の単位ユニット毎にフォーム幅方向に切断して切り離すことによりジグザグ折りのノートブックが作製される。このノートブックは、枚葉物でなく、各単位フォーム（中紙）が連続しているので、単位フォームの抜け落ちを確実に防ぐことができ、連続フォームが破損したり、損傷を受けるとその事実を確実に確認することができる。
【００１５】
また、ノートブックを構成する各単位フォームのフォーム面に形成されるメイン記載欄は、少なくとも一行の横罫線がマイクロ文字で形成された罫線であるので、複写機を用いて複写すると、マイクロ文字が潰れ、再現は不可能であるので、改ざん防止機能が備えられ、セキュリティ性が高く、保全性に優れたノートブックおよびその製造方法を提供できる。
【００１６】
さらに、ノートブックは展開して見開き可能であり、ノートブックに記載した情報を見開いた展開状態で確認でき、一度に確認できる範囲をフォーム長手方向に大きくとることができ、新しいタイプのノートブックを提供できる。
【図面の簡単な説明】
【００１７】
【図１】ノートブック製造装置の第１の実施形態を原理的に示す構成図。
【図２】ノートブック製造装置で製造される連続フォームの途中の印刷状態を示す部分的な平面図。
【図３】前記ノートブック製造装置で製造（製作）されたノートブックの例を示す図。
【図４】前記ノートブック製造装置で製造（製作）されたノートブックにブックカバーを被せた全体の斜視図。
【図５】ブックカバー付ノートブックのブックカバー表表紙を見開いた状態を示す斜視図。
【図６】ブックカバー付ノートブックのブックカバー裏表紙を見開いた状態を示す斜視図。
【図７】ブックカバー付ノートブックのブックカバー表表紙の裏面側等に貼着される１冊目のページ管理表例を示すレイアウト図。
【図８】ノートブック製造装置で製造される１０冊目のノートブックに貼着されるページ管理表例を示すレイアウト図。
【図９】ノートブック製造装置で製造される連続フォームの単位フォームを部分的に示すレイアウト図。
【図１０】（Ａ）および（Ｂ）は図９のＡ部およびＢ部をそれぞれ拡大して示す図。
【図１１】ノートブック製造装置で製造されるノートブックを冊毎に管理可能なノートブック管理表例を示すレイアウト図。
【図１２】ノートブック製造装置の第２の実施形態を原理的に示す構成図。
【図１３】第２の実施形態に備えられるフォーム反転装置を示す斜視図。
【図１４】第２の実施形態のノートブック製造装置で製作されたノートブックの例を示す図。
【図１５】第２の実施形態のノートブック製造装置で製造される経本折りのブックカバー付ノートブックを示す斜視図。
【図１６】第２の実施形態で製造されたブックカバー付ノートブックの表表紙カバーを見開いた状態を示す斜視図。
【図１７】第２の実施形態で製造されたブックカバー付ノートブックの裏表紙カバーを見開いた状態を示す斜視図。
【図１８】第２の実施形態のノートブック製造装置で製造されるノートブックのページ管理表例を示すレイアウト図。
【図１９】第２の実施形態のノートブック製造装置で製造されるノートブックのページ管理表例を示すレイアウト図。
【発明を実施するための形態】
【００１８】
以下、本発明に係る実施の形態について添付図面を参照して説明する。
【００１９】
［第１の実施形態］
図１は、可撓性で長尺な無端帯状印刷プレートをそれぞれ備えた複数台、少なくとも４台の印刷装置を用いて、長尺な帯状連続フォーム（連続紙）に一連の印刷を連続して施し、印刷された連続フォームを単位フォーム毎にジグザグ状に所要数、例えば５０枚折り畳んでジグザグ（経本）折りの単位フォーム群の単位ユニットが製作されるノートブックの製造装置を原理的に示す構成図である。
【００２０】
ノートブック製造装置１０は、給紙ロール１１から繰り出される長尺帯状の連続フォーム（連続紙：ロール紙）１２に無端帯状印刷プレート１３を用いて連続的に印刷を施すロータリプレス印刷機械である。
【００２１】
給紙ロール１１から繰り出される連続フォーム１２には、図２に示すように、両側のマージナルゾーン１５にパーフォレーション装置（図示せず）によりパンチング孔１６が等ピッチ、例えば１／２インチ間隔で穿設される。パンチング孔１６は連続フォーム１２の送りを案内するガイド孔として構成され、このパンチング孔１６により連続フォーム１２の長手方向（天地方向）の送りが正確に案内される。給紙ロール１１から送り出された連続フォーム１２はガイドローラを経て第１の印刷装置１７に送られ、この第１の印刷装置１７でフォーム表面側から印刷が好適に実施される。第１の印刷装置１７では、図２に示すように、連続フォーム１２を構成する各単位フォーム１４に、後述するタイトル記載欄３１、メイン記載欄３０、記入者（担当者）および日付記載欄３２、確認者および日付記載欄３３ならびにページ付け欄３４が無端帯状印刷プレート１３により印刷される。単位フォーム１４は例えばＡ４サイズ、またはＡ３サイズ、Ｂ５サイズ、Ｂ４サイズの大きさ、形状である。
【００２２】
再び図１に示すように、第１の印刷装置１７で印刷された連続フォーム１２は、続いて第２の印刷装置１８、第３の印刷装置１９および第４の印刷装置２０に順次送られる。第２ないし第４の印刷装置１８，１９，２０により、各単位フォーム１４のページ仕分けコード欄３５に、複数桁、例えば２桁で複数組、例えば３組の数字からなる６桁のページアドレス番号が印刷される。本実施形態では、第２の印刷装置１８の無端帯状印刷プレート１３により１組目複数桁（２桁）の数字が単位フォーム１４毎に印刷され、第３の印刷装置１９の無端帯状プレート１３により２組目の複数桁（２桁）の数字が、また、第４の印刷装置２０の無端帯状プレート１３により３組目の複数桁（例えば２桁）の数字がそれぞれ単位フォーム１４毎に順次印刷される。第２ないし第４の印刷装置１８，１９，２０により連続フォーム１２の各単位フォーム１４毎に、ページ仕分けコード欄３５に複数桁（２桁）＊複数組（３組）のページアドレス番号が印刷される。
【００２３】
連続フォーム１２のページ仕分けコード欄３５にページアドレス番号が印刷された後、第５の印刷装置２１に送られる。第５の印刷装置２１では連続フォーム１２に無端帯状印刷プレート１３を用いて透かし模様４０、例えば桜の花びら形状が印刷される。
【００２４】
ノートブック製造装置１０の各印刷装置１７〜２１に用いられる無端帯状印刷プレート１３は、特許第５２２５２３７号公報や特許第５３８９７６９号公報に記載の可撓性を有する長尺の樹脂凸版印刷板を用いて製作される。製作された樹脂凸版印刷板を複数枚長手方向に順次接続していき、最後に長手方向両端を接続して、無端状に形成され、無端帯状印刷プレート１３が作製される。樹脂凸版印刷板を順次接続して無端帯状印刷プレート１３の製作は、各印刷装置１７，１８，１９，２０，２１の据付現場で行なわれ、各印刷装置１７，１８，１９，２０，２１にそれぞれ巻き付けられる。
【００２５】
ところで、無端帯状印刷プレート１３は、可撓性フィルム状の樹脂印刷凸板で構成され、各無端帯状印刷プレート１３（１３ａ，１３ｂ，１３ｃ，１３ｄ，１３ｅ）は、版胴あるいは本体胴を形成するプレートシリンダ２３とガイドシリンダ（ガイドローラ）２４との間に掛け渡され、同期化して運転される。各無端帯状印刷プレート１３（１３ａ，１３ｂ，１３ｃ，１３ｄ，１３ｅ）は一廻りの長手方向（天地方向）長さが、数ｍ〜数１０ｍ、例えば７ｍ〜５０ｍの間で適宜選択される。各無端帯状印刷プレート１３（１３ａ，１３ｂ，１３ｃ，１３ｄ，１３ｅ）は、所要の長手方向長さを有し、同期化して運転される。
【００２６】
具体的には、第１の印刷装置１７、第２の印刷装置１８および第５の印刷装置２１のプレートシリンダ２３とガイドシリンダ２４とに掛け渡される無端帯状印刷プレート１３（１３ａ，１３ｂ，１３ｅ）はそれぞれ等しい長手方向長さ、例えば単位フォームｎ枚（５０枚）分の長さを有し、同期化して運転される。
【００２７】
これに対し、第２の印刷装置１８、第３の印刷装置１９および第４の印刷装置２０のプレートシリンダ２３とガイドシリンダ２４とに掛け渡される無端帯状印刷プレート１３ｂ，１３ｃ，１３ｄは、長手方向長さが、単位フォーム１枚分ずつ長くなったり、あるいは短くなる。例えば、第２の印刷装置１８の無端帯状印刷プレート１３ｂが１回転で連続フォーム１２の各単位フォーム１４をｎ枚（５０枚）分印刷するとすると、第３の印刷装置１９は、無端帯状印刷プレート１３ｃが１回転すると、連続フォーム１２の各単位フォーム１４は（ｎ＋１）枚（５１枚）、または（ｎ−１）枚（４９枚）分印刷される。また、第４の印刷装置２０は、無端帯状印刷プレート１３ｄが１回転すると、連続フォーム１２の各単位フォーム１４を（ｎ＋２）枚（５２枚）、または（ｎ−２）枚（４８枚）分印刷される。
【００２８】
第２の印刷装置１８、第３の印刷装置１９および第４の印刷装置２０は、連続フォーム１２の各単位フォーム１４に構成されるページ仕分けコード欄３５にページアドレス番号を印刷するものである。この実施形態では、ページアドレス番号は複数桁（２桁または３桁）ずつ複数組（３組）で例えば６桁（または９桁）の数字が印刷される。
【００２９】
第２〜第４の印刷装置１８，１９，２０は、無端帯状印刷プレート１３ｂ，１３ｃ，１３ｄがそれぞれ回転することにより、連続フォーム１２の各単位フォーム１４のページ仕分けコード欄３５に各組複数桁（２桁）ずつ順次印刷されるが、無端帯状印刷プレート１３ｂ，１３ｃ，１３ｄは回転毎に１組目（第２の印刷装置１８）の無端帯状印刷プレート１３ｂに対し、２組目の無端帯状印刷プレート１３ｃは１つの単位フォーム分ずつ、３組目の無端帯状印刷プレート１３ｄは２つの単位フォーム分ずつそれぞれずれて印刷される。
【００３０】
具体的には、第２の印刷装置１８の無端帯状印刷プレート１３ｂは２桁（複数桁）の数字列が（０１，０２，０３，…，ｎ）の順にｎ（例えば５０）個形成されており、第３の印刷装置１９の無端帯状印刷プレート１３ｃは数字列が（ｎ＋１）個、第４の印刷装置２０の無端帯状印刷プレート１３ｄは数字列が（ｎ＋２）個、同様にして形成される。今、ｎ＝５０とすると、連続フォーム１２の各単位フォーム１４には、最初の単位フォーム５０枚分は第２の印刷装置１８、第３の印刷装置１９および第４の印刷装置２０により、それぞれ２桁ずつ同じ番号の数字が３組分６桁の数字５０５０５０がページアドレス番号として印刷される。連続フォーム１２の５１枚目の単位フォーム１４には、第２の印刷装置１８は２回転目の最初の２桁の数字０１が印刷されるので、第２〜第４の印刷装置１８，１９，２０により３組分６桁の数字０１５１５１がページアドレス番号として印刷される。続く連続フォーム１２の５２枚目の単位フォーム１４には、第３の印刷装置１９は２回転目の最初の２桁の数字０１が印刷され、第２〜第４の印刷装置１８，１９，２０により３組分６桁の数字０２０１５２がページアドレス番号として印刷される。さらに、連続フォーム１２の５３枚目の単位フォーム１４には、第４の印刷装置２０も２回転目の最初の２桁の数字０１が印刷されるので、第２〜第４の印刷装置１８，１９，２０は、３組分６桁の数字０３０２０１がページアドレス番号として印刷される。以後は、第２〜第４の印刷装置１８，１９，２０により連続フォーム１２の各単位フォーム１４に順次３組分６桁の異なる数字列がページアドレス番号として印刷されている。
【００３１】
このように、第２の印刷装置１８は無端帯状印刷プレート１３ｂの回転毎に連続フォーム１２の各単位フォーム１４にｎ枚分ずつ複数桁（２桁）の数字列が印刷され、第３の印刷装置１９は、同じく無端帯状印刷プレート１３ｃの回転毎に連続フォーム１２の各単位フォーム１４に（ｎ＋１）枚または（ｎ−１）枚ずつ複数桁（２桁）の数字列が印刷される。また、第４の印刷装置２０は、無端帯状印刷プレート１３ｄの回転毎に連続フォーム１２の各単位フォーム１４に（ｎ＋２）枚または（ｎ−２）枚ずつ複数桁（２桁）の数字が印刷される。したがって、第２の印刷装置１８は無端帯状印刷プレート１３ｂの回転毎にｎ枚分の単位フォーム１４が印刷され、第３の印刷装置１９は（ｎ＋１）枚分あるいは（ｎ−１）枚の単位フォーム１４が印刷され、第４の印刷装置２０は（ｎ＋２）あるいは（ｎ−２）枚分の単位フォーム１４が印刷される。
【００３２】
第２の印刷装置１８、第３の印刷装置１９および第４の印刷装置２０に装架される各無端帯状印刷プレート１３ｂ，１３ｃ，１３ｄは、１回転による軸方向長さが（第２の印刷装置１８に比べ、第３の印刷装置１９および第４の印刷装置２０では）、単位フォーム１４で１枚分ずつ順次異にする。
【００３３】
このため、第２の印刷装置１８は、無端帯状印刷プレート１３ｂの１回転により、連続フォーム１２の各単位フォーム１４のページ仕分けコード欄に１組目のページアドレス番号が印刷され、ｎ枚の単位フォーム１４毎に１組目のページアドレス番号が繰り返されて、印刷される。第２の印刷装置１８の無端帯状印刷プレート１３ｂが２回転目に入ると、連続フォーム１２の（ｎ＋１）枚目の単位フォーム１４から２ｎ枚目までの各単位ユニット１４のページ仕分けコード欄３５に、数字列０１，０２，…，ｎの数字が１組目のページアドレス番号として付される。
【００３４】
このとき、第３の印刷装置１９の無端帯状印刷プレート１３ｃでは、第２の印刷装置１８で印刷された連続フォーム１２の各単位フォーム１４のページ仕分けコード欄３５に２組目のページアドレス番号が順次印刷されていき、各単位ユニット１４のページ仕分けコード欄に、数字列ｎ＋１，０１，０２，…，ｎ−１（５１，０１，０２，…，４９）、または０２，０３，…，０２の２桁の数字が各単位フォーム毎に２組目のページアドレス番号として印刷される。
【００３５】
第４の印刷装置２０の無端帯状印刷プレート１３ｄでは、第２および第３の印刷装置１８，１９で印刷された、連続フォーム１２の各単位フォーム１４のページ仕分けコード欄３５に３組目のページアドレス番号が順次印刷されていき、各単位ユニット１４のページ仕分けコード欄３５に、数字列ｎ＋１，ｎ＋２，０１，０２，…，ｎ−２（５１，５２，０１，…，４８）、または０３，０４，０５，…，０４の２桁の数字が３組目のページアドレス番号として印刷される。
【００３６】
さらに、第２の印刷装置１８の無端帯状印刷プレート１３ｂが３回転目に入ると、連続フォーム１２の連続する各単位フォーム１４のページ仕分けコード欄３５に、数字列０１，０２，…，ｎ（０１，０２，…，５０）の２桁の数字が１組目のページアドレス番号として印刷される。
【００３７】
このとき、第２の印刷装置１８で印刷された無端帯状印刷プレート１３ｂの３回転目の数字に対応して、第３の印刷装置１９の無端帯状印刷プレート１３ｃでは、連続フォーム１２の各単位フォーム１４のページ仕分けコード欄３５に２組目のページアドレス番号が次のように印刷される。第３の印刷装置１９で連続フォーム１２の各単位フォーム１４のページ仕分けコード欄３５に数字列ｎ，ｎ＋１，０１，０２，…，ｎ−２（５０，５１，０１，０２，…，４８）、または０３，０４，…，０３の２桁の数字列が２組目のページアドレス番号として印刷される。
【００３８】
第４の印刷装置２０の無端帯状印刷プレート１３ｄでは、第２および第３の印刷装置１８，１９で印刷された連続フォーム１２の各単位フォーム１４のページ仕分けコード欄３５に３組目のページアドレス番号が順次印刷されていき、各単位ユニット１４のページ仕分けコード欄３５に、数字列ｎ−１，ｎ，ｎ＋１，ｎ＋２，０１，…，ｎ−４（４９，５０，５１，５２，０１，…，４５，４６）、または０５，０６，…，０５，０６の２桁の数字が３組目のページアドレス番号として印刷される。
【００３９】
以後同様に、第２の印刷装置１８の無端帯状印刷プレート１３ｂが４回転目の印刷に入ると、第３の印刷装置１９および第４の印刷装置２０の無端帯状印刷プレート１３ｂは、順次単位フォーム１４が１枚分ずつずれて遅れたり、進む印刷が行なわれる。このように、第２〜第４の印刷装置１８，１９，２０は、各無端帯状印刷プレート１３ｂ，１３ｃ，１３ｄを、各組で２桁の数字列を１つずつ減らしたり、増す刷版、例えば、１組目の無端帯状印刷プレート１３ｂでは、数字列０１，０２，…，ｎの２桁数字の刷版を、２組目の無端帯状印刷プレート１３ｃでは、数字列０１，０２，…，ｎ，ｎ＋１または、０１，０２，…，ｎ−１の２桁数字の刷版を、３組目の無端帯状印刷プレート１３ｄでは、数字列０１，０２，…，ｎ，ｎ＋１，ｎ＋２または、０１，０２，…，ｎ−２の２桁数字の刷版を作製し、複数組（３組）がページ仕分けコード欄３５に整列するように対応させて位置取りをして順次印刷される。
【００４０】
第２の印刷装置１８、第３の印刷装置１９および第４の印刷装置２０は、各無端帯状印刷プレート１３ｂ，１３ｃ，１３ｄが１回転して印刷する毎に、各組の２桁（複数桁）の数字列が１つずつずれて印刷されるので、ページ仕分けコード欄３５に印刷される各組（３組）２桁のページアドレス番号（合計６桁の数字）は、各組２桁の最小公倍数までは、同じ数字のページアドレス番号が表われない。例えば、第２の印刷装置１８の無端帯状印刷プレート１３ｂに数字列０１，０２，…，ｎ、第３の印刷装置１９の印刷プレート１３ｃに数字列０１，０２，…，ｎ＋１、第４の印刷装置２０の無端帯状印刷プレート１３ｄに数字列０１，０２，…，ｎ＋２の数字を用いて印刷すると、最小公倍数｛ｎ＊（ｎ＋１）＊（ｎ＋２）｝までは同じ数字が表われない。今、ｎ＝５０であるとすると、最小公倍数は１３２，６００となり、連続フォーム１２の各単位フォーム１４毎のページ仕分けコード欄３５にページアドレス番号が順次付されると、連続フォーム１２は１３２，６００枚の単位フォーム１４にそれぞれ異なるページアドレス番号が付されることになる。
【００４１】
逆に、連続フォーム１２の各単位フォーム１４が５０枚の単位フォームで１冊分のノートブックを作製すると、６２６５２冊のノートブックは、各ノートブック見開きページが同じページを示していても、ページアドレス番号がそれぞれ異なるため、ページ単位のメインテナンスを行なうことができる。
【００４２】
ところで、ノートブック製造装置１０は、第１の印刷装置１７のプレートシリンダ２３に掛け渡される無端帯状印刷プレート１３ａには、例えば対をなすインクローラ２５（２５ａ，２５ｂ）が外接しており、インクローラ２５に所要の色、例えば黒や青（ライトブルー）、グリーン（ライトグリーン）の印刷インクが供給される。供給された印刷インクは、無端帯状印刷プレート１３ａのプレート面に塗布される。印刷プレート１３ａのプレート面に塗布された印刷インクは、給紙ロール１１から供給される連続フォーム１２に複写され、印刷される。連続フォーム１２は、受胴を形成するプレートシリンダ２６により押圧され、この押圧により、連続フォーム１２に無端帯状印刷プレート１３ａの像が印刷される。
【００４３】
第１の印刷装置１７では、連続フォーム１２の片面に図２に示すように、単位フォーム１４（１２ａ，１２ｂ）のページ面が印刷されて形成される。各単位フォーム１２ａ，１２ｂのページ面には、必要事項あるいは必要な情報記載欄が形成される。
【００４４】
このノートブック製造装置１０で製造されるノートブックを研究開発ノートあるいは技術開発ノートとして利用する場合には、研究や技術開発の進捗状況、検討課題、種々の対応内容、メモ内容等を記載するメイン記載欄３０が形成される他、サマリー（要約）、インデックス等のタイトル記載欄３１、記入者（担当者）および日付記載欄３２、確認者および日付記載欄（認証欄、承認欄）３３、ページ付け欄３４およびページ仕分けコード欄３５等が記載される。
【００４５】
メイン記載欄３０は、横罫線３８と縦罫線３９とで所要のノート記載欄を構成しており、横罫線３８間の各行に行付けを行なってもよい。連続フォーム１２の単位フォーム１２ａ，１２ｂのページ面の上隅部または下端中央部のページ付け欄３４にページ付けが施される。横罫線３８は、例えば最下行を除いて基本的には、所要行の横罫線３８に０．３Ｐ（ポイント）〜０．７Ｐ（ポイント）の微細なマイクロ印刷にて文字印刷された罫線である。横罫線３８の具体例については後述する。
【００４６】
第１の印刷装置１７で連続フォーム１２の一面（フォーム面）に単位フォーム１４（１２ａ，１２ｂ）のページ面（フォーム面）印刷が連続して施された後、連続フォーム１２は第２の印刷装置１８に案内される。第２の印刷装置１８では、インクローラ２５ｂと無端帯状印刷プレート１３ｂを用いて、例えば黒インクにより、連続フォーム１２の単位フォーム１４（１２ａ，１２ｂ）、ページ仕分けコード欄３５およびその近傍に１組目の２桁の数字が印刷される。
【００４７】
第１の印刷装置１７で連続フォーム１２に単位フォーム１４（１２ａ，１２ｂ）のページ面が印刷され、第２の印刷装置１８では、連続フォーム１２の各単位フォーム１４のページ仕分けコード欄３５およびその近傍、例えば下側近傍に１組目の２桁の数字が印刷される。ページ仕分けコード欄３５には、例えば１０〜１４Ｐ（ポイント）の大きさの数字印刷が、ページ仕分けコード欄３５の近傍には１〜２Ｐの大きさの数字印刷が施される。
【００４８】
続いて、第３の印刷装置１９では連続フォーム１２の各単位ユニット１４のページ仕分けコード欄３５およびその近傍に２組目の２桁の数字が印刷される。２組目の２桁の数字は、ページ仕分けコード欄３５に、例えば１０〜１４Ｐ（ポイント）の大きさの数字印刷が、ページ仕分けコード欄３５の近傍には、１〜２Ｐの大きさの数字印刷が施される。
【００４９】
また、第４の印刷装置２０では、連続フォーム１２の各単位ユニット１４のページ仕分けコード欄３５およびその近傍に３組目の２桁の数字が印刷される。３組目の２桁の数字は、ページ仕分けコード欄３５には例えば１０〜１４Ｐ（ポイント）の大きさの数字印刷が、ページ仕分けコード欄３５の近傍には、１〜２Ｐの大きさの数字印刷が施される。
【００５０】
このようにして、第２〜第４の印刷装置１８，１９，２０により、連続フォーム１２の各単位フォーム１４のページ仕分けコード欄３５および近傍（下側近傍）には、例えば３組＊２桁、全体で６桁のページアドレス番号が印刷される。連続フォーム１２の連続する単位フォーム１４には、単位フォーム１４のページ仕分けコード欄３５およびその近傍にページアドレス番号が順次数字を異にして印刷される。連続フォーム１２の各単位フォーム１４のページ仕分けコード欄３５に印刷される数字は、各組の無端帯状印刷プレート１３ｂ，１３ｃ，１３ｄに表わされる２桁の数字の最小公倍数、例えば｛（ｎ＊（ｎ＋１）＊（ｎ＋２）｝分だけ、各単位フォーム１４毎、すなわちページ単位毎にマネジメントされたページアドレス番号が印刷される。
【００５１】
第２ないし第４の印刷装置１８，１９，２０で連続フォーム１２の各単位フォーム１４のページ仕分けコード欄３５（およびその近傍）に、ページ単位でマネジメントされた異なるページアドレス番号が印刷された後、第５の印刷装置２１に移される。第５の印刷装置２１では、インクローラ２５ｅと無端帯状印刷プレート１３ｅを用いて透かしインクにより、連続フォーム１２の単位フォーム１２ａ，１２ｂ，…上に、例えば花びら状の透かし模様４０や、クライアント等のマーク、名称を施すようにしてもよい。
【００５２】
第５の印刷装置２１で連続フォーム１２の単位フォーム１４（１２ａ，１２ｂ）のページ面に透かし模様４０が印刷された後、図１に示すように、検査装置４４に導かれて、印刷の位置ずれや印刷ムラ等が検査される。検査された連続フォーム１２は、続いて、切断機４５に案内され、この切断機４５で連続フォーム１２のスリッタ線によりマージナルゾーン１５が切り落とされ、除去される。検査後に連続フォーム１２をコンピュータ等で後処理する必要がある場合には、連続フォーム１２のマージナルゾーン１５を切断機４５で切断することなく、切断機４５を素通りしてジグザグ折り装置４６に送られる。
【００５３】
ジグザグ折り装置４６は、例えば、特許第５３２４９５０号公報に記載された筋折り付ジグザグ折り装置が用いられる。このジグザグ折り装置４６は、連続フォーム１２のフォーム幅方向に沿って単位フォーム１４（１２ａ，１２ｂ）毎に交互に山状凸部と谷状凹部のフォーム筋折り付け（折目）が行なわれる。ジグザグ折り装置４６は筋折り付けプレス等のプレス折り装置を備えている。この筋折り付けプレスにより連続フォーム１２は単位フォーム１４（１２ａ，１２ｂ）毎にジグザグ折りを容易にする山折りと谷折りが交互に実施される。
【００５４】
また、連続フォーム１２は第１ないし第５の印刷装置１７〜２１で順次印刷されており、フォーム表面が印刷された連続フォーム１２は筋折り付けプレスにより山折り（山状凸部）と谷折り（谷状凹部）がフォーム幅方向に形成される。連続フォーム１２はジグザグ折り装置４６により単位フォーム１４（１２ａ，１２ｂ）毎に谷折りからスタートしてジグザグ状に折り畳まれて漸次スタッカ４７上に搬出され、堆積される。
【００５５】
スタッカ４７上にジグザグ状に折り畳まれた連続フォーム１２は、所要数ｎ例えば５０枚の単位フォーム１４（１２ａ，１２ｂ）毎に単位フォーム群４８の単位ユニットが構成される。単位フォーム群４８の単位ユニット毎にフォーム幅方向に切断して切り離せば、最小単位を構成する単位フォーム群４８の単位ユニットがジグザグ折りして構成され、各単位ユニット群４８毎に、ジグザグ（経本）折りの冊単位のノートブック５０が製作される。複数の単位ユニット、例えば２つの単位ユニット毎にフォーム幅方向に切断すれば、複数（例えば２つ）の単位ユニットから構成されるジグザグ折りのノートブックが冊単位で製作される。
【００５６】
［ノートブック］
ジグザグ折りで折り畳まれて単位フォーム群４８毎に形成される単位ユニットのノートブック５０は、一例として図３に示すように構成される。このノートブック５０は、連続フォーム１２から例えば５０枚相当分の単位フォーム１４をジグザグ折りにして重ねられた単位フォーム群４８で１冊分の単位ユニットが構成される。単位ユニットのノートブック５０は連続フォーム１２の表面（一面）側を単位フォーム１，単位フォーム２，単位フォーム３，…，単位フォーム４９および単位フォーム５０として５０枚相当分のページ面（フォーム面）を構成している。連続フォーム１２の裏面（他面）側には印刷が施されていない。
【００５７】
単位フォーム群４８からなる単位ユニットのノートブック５０は、例えばＡ４サイズあるいはＢ５サイズで構成され、このままでノートブック５０が構成される。単位フォームのフォーム表面側の最初の単位フォーム１４は表表紙を構成しており、同じくフォーム裏面側の単位フォーム１４は裏表紙を構成してもよい。フォーム表面側の単位フォーム１４は、例えばコンテンツ記載欄の印刷面を構成したものでもよい。したがって、単位ユニットのノートブック５０は１冊で、フォーム表面側とフォーム裏面側に単位フォーム１，単位フォーム２，…，単位フォーム５０で、例えば５０ページ相当分ずつの単位フォーム群４８からなるノートブック５０の中紙が形成され、フォーム表裏両面を合わせると１００ページ相当分のジグザグ折りの単位フォーム群４８のノートブック５０が構成される。複数の単位ユニットから構成されるジグザグ折りのノートブック５０では、単位ユニットのノートブック５０の複数倍のボリュームのノートブックが構成される。
【００５８】
いずれにしても、ジグザグ折りのノートブック５０は、展開して見開き可能であり、ノートブック５０に記載したコンテンツ情報を見開き状態で見て確認することができ、確認作業が広い範囲に亘って比較しながら確認でき、作業効率を向上させることができる。
【００５９】
ところで、単位ユニットのノートブック５０は、ブックカバー５５で覆われて装丁してもよい。ブックカバー５５は、図４に示すように、樹脂製、皮製、厚紙製あるいは木製の化粧ブックカバーで構成される。ブックカバー５５は、表表紙５６と裏表紙５７と背表紙５８とが一体成形される。表表紙５６の表面側にはノートブックのタイトル欄５９等の所要記載事項が形成される。
【００６０】
また、表表紙５６の裏面（見開き面）側、または（単位フォーム群４８の）最初の単位フォーム１４の裏面側に、図５に示すように、枚葉物のページ管理表６０が貼着される。単位ユニットの最終頁の単位フォーム１４の裏面側は、ブックカバー５５の裏表紙５７の見開き面に貼着される。連続フォーム１２の単位フォーム群４８で構成される単位ユニットのノートブック５０は、図６に示すように、最終頁の単位フォーム１４の裏面側を裏表紙５７の見開き面に貼着することで、ブックカバー５５で覆われる単位フォーム群４８のノートブック５０は、ブックカバー５５付ノートブックとして構成される。その際、ブックカバー５５の裏表紙５７側見開き面に最終頁の単位フォーム１４の表面側が貼着され、ノートブック５０とブックカバー５５が一体化される。
【００６１】
また、ブックカバー５５の表表紙５６の裏面（見開き面）側に貼着されるページ管理表６０は、枚葉物で図６または図７に示すように構成される。図６のページ管理表６０は、最初に作成された例えば１冊目のノートブック５０用であり、図７のページ管理表６０は、１０番目に作成された例えば１０冊目のノートブック５０用である。
【００６２】
ページ管理表６０には、何冊目のノートブック５０であるかを表示する冊数Ｎｏ表示欄６２、ページアドレス番号を一覧表示した（ページ）仕分けコード欄６３、ページ表示欄６４、コンテンツ（Ｃｏｎｔｅｎｔｓ）欄６５およびＮｏｔｅｓ（備考）欄６６等が表示される。コンテンツ欄６５は各単位フォーム１４毎に記載内容等の要約（タイトル）やサマリーが表示されるものである。（ページ）仕分けコード欄６３には、ノートブック５０を構成する各単位フォーム群４８の単位フォーム１４（１２ａ，１２ｂ）のページ仕分けコード欄３５に付された｛複数桁（２桁）＊複数組（３組）｝の例えば６桁の数字に対応する桁数の数字が表示される。
【００６３】
加えて、ページ管理表６０には、得意先を記号や数字等で表示するクライアント欄（図示省略）、何冊目のノートブック５０のページ番号であるかを表示する通しページ表示欄６８、年月日表示欄６９、サイン記載欄７０が必要に応じて形成される。ページ管理表６０を見れば、ノートブック５０の使用形態に応じて、種々の管理（マネジメント）をページ単位で観察することができる。例えば、研究開発者や技術者が研究開発ノートとして使用する場合には、研究開発や技術の進捗状況を容易に確認することができる。看護ノートに応用することもできる。
【００６４】
さらに、各単位フォーム群４８をジグザグ折りして構成される単位ユニットのノートブック５０において、ノートブック５０を構成する各単位フォーム１４（１２ａ，１２ｂ）のページ面（フォーム面）は図９に示すように構成される。図９は、例えば単位フォーム１４（１２ａ，１２ｂ）の９ページ（９枚）目のページ面（単位フォームのフォーム面）を表わしている。単位フォーム１２ａのページ面は、メイン記載欄３０の他、タイトル記載欄３１、記入者（担当者）および日付記載欄３２、確認者および日付記載欄３３ならびにページ付け欄３４、ページ仕分けコード欄３５、クライアント表示欄３６およびインデックス表示欄３７が配置される。
【００６５】
さらに、インデックス表示欄３７は、アイマークを構成するもので、単位フォーム１２ａ（１２ｂ）のフォーム表面側ページ面の側端部にベタ塗りの印刷が施される。インデックス表示欄３７は、各単位フォーム群４８のうち、例えば１０ページ相当分ずつが組をなして、各組のページ面が同じ行に印刷されてもよい。インデックス表示欄３７は、各単位フォーム１４の側端部に印刷を施す代りに白抜き文字あるいは記号の印刷を施してもよい。白抜き記号印刷例としては、ページ付け欄３４に付したページ数と同じ数字を印刷してもよい。ノートブック５０の各単位フォーム１４のいずれかが破損したり、欠落した場合、破損や欠落箇所をインデックス表示欄３７の観察により容易に確認することができる。
【００６６】
ところで、単位フォーム１２ａ（１２ｂ）のメイン記載欄３０は、例えば多数の横罫線３８と縦罫線３９とで構成される。このうち、一行置きの横罫線３８には微細なマイクロ文字の印刷が施される。横罫線３８列のうち、最上位（第１行）および最下行の横罫線３８は、例えば０．７Ｐ（ポイント）〜１．０Ｐ（ポイント）の罫線が、残りの横罫線３８のうち、例えば一行置きの横罫線は０．３Ｐ〜０．６Ｐの微細なマイクロ文字が印刷された罫線である。横罫線３８の微細なマイクロ文字は、文字の内容を肉眼で確認することは困難である。マイクロ文字の横罫線３８は、複写機で印刷すると文字が潰れ、文字で再現は不可能であるので、改ざん防止機能が備えられ、安全性が高い。
【００６７】
また、タイトル記載欄３１の上方近傍の横罫線３８は、行始端から行中間に向ってマイクロ文字が漸次小さくなり、さらに、行中間から行末端側に向ってマイクロ文字が漸次大きくなるように印刷される。行始端または行末端では、例えば３Ｐ（約１ｍｍの大きさ）の文字が印刷され、行始端や行末端の文字を肉眼で確認できるようにしてもよい。図９のＡ部を拡大すると、横罫線３８のマイクロ文字は、図１０（Ａ）に示すように表わされ、タイトル記載欄３１上方の変化するマイクロ文字は、残りの横罫線３８が、例えば図９のＢ部を拡大すると図１０（Ｂ）に示すように表示され、マイクロ文字を拡大鏡等で拡大して初めて文字内容を確認することができる。横罫線３８の微細なマイクロ文字は、図１０（Ａ）および（Ｂ）に示すように、例えば会社名のロゴ、例えば“ＭＩＳＡＴＯ  ＭＩＲＡＩ  ２１”が印刷されている。このように、単位フォーム１２ａ（１２ｂ）のメイン記載欄３０には、横罫線３８が行を表わす単なる罫線ではなく、罫線自在に識別機能を有する微細なマイクロ文字で印刷されている。
【００６８】
また、タイトル記載欄３１直上の横罫線３８は、行始端から行中間に向ってマイクロ文字が漸次小さくなり、行中間から行末端に向ってマイクロ文字が漸次大きくなるように印刷された例を示したが、文字の大きさが変化するマイクロ文字はタイトル記載欄３１の上方でなくてもよい。メイン記載欄３０の最下行側の横罫線３８が行始端から行末端にかけてマイクロ文字が漸次大きくなるように印刷された罫線であってもよい。いずれにしても、メイン記載欄３０の最下行側やタイトル表示欄３１上の横罫線３８は行の一部で文字が大きくなるように構成される。
【００６９】
さらに、メイン記載欄２７の最上位と最下行の横罫線３８は他の横罫線と同じあるいは違う大きさの微細なマイクロ文字で印刷された罫線としてもよい。
【００７０】
ところで、本発明に係る第１の実施形態では、第１の印刷装置１７〜第５の印刷装置２１により連続フォーム１２の表面に無端帯状印刷プレート１３（１３ａ，１３ｂ，１３ｃ，１３ｄ，１３ｅ）を用いて印刷し、印刷された連続フォーム１２とジグザグ折り装置４６によりジグザグ状に折り畳んで所要数の単位フォームから連続する単位フォーム群４８の単位ユニットを構成し、単位ユニット毎にあるいは複数の単位ユニット毎にフォーム幅方向に切断してジグザグ折りの単位ユニットのノートブック５０を製作する例を説明した。製作されたノートブック５０は、ノート片面側（表面側）を第１の印刷装置１７〜第５印刷装置２１で印刷した例を示した。
【００７１】
この場合、連続フォーム１２はフォーム表面側を印刷する各印刷装置１７〜２１に使用する印刷インクの色は同じでもよいが、異ならせることもできる。フォーム表面側の印刷途中で各単位フォーム１４を印刷するインクの色を異ならせたり、カラー印刷をするためには、フォーム表面側を印刷に必要な所要数（複数台）の印刷装置をそれぞれ並べて所要のバリエーションで印刷する必要がある。
【００７２】
また、ノートブック５０のブックカバー５５の表表紙裏面（見開き面）側等のページ管理表６０が貼着される一方、これらのノートブック５０を一括して購入される学校や会社、研究所等の組織体に、ノートブック５０を個々の冊（単位ユニット）毎に配布先等の管理が可能な、図１１に示すようなノートブック管理表７５を同封するようにしてもよい。
【００７３】
ノートブック管理表７５は、ノートブック５０の冊毎に、例えば５０冊分のノートブック５０の配布先管理を行ない得るようになっている。ノートブック管理表７５には、冊Ｎｏ欄７６、代表（ページ）仕分けコード欄７７、氏名・住所欄７８、電話番号や携帯電話メールアドレス欄７９等の必要記載事項が形成される。代表（ページ）仕分けコード欄７７には、各冊のノートブック５０毎に、第１頁目のページ仕分けコードのページアドレス番号がコンピュータ処理にて印刷される。ノートブック管理表７５の１０冊目（冊Ｎｏ．１０）の代表（ページ）仕分けコード欄７７には、｛複数桁（２桁）＊複数組（３組）｝のページアドレス番号である０１，４３，３５の６桁の数字が印刷されている。
【００７４】
したがって、ノートブック管理表７５に表示された冊Ｎｏと代表（ページ）仕分けコード欄７７のページアドレス番号を見て、配布先の氏名や住所、電話番号等を確認でき、ノートブック５０の配布先を冊毎に管理（マネジメント）することができる。
【００７５】
［第２の実施形態］
本発明の第２の実施形態を図１２ないし図１８を参照して説明する。
【００７６】
第２の実施形態のノートブック製造装置１０Ａは、例えば６台の印刷装置１７〜２２とフォーム反転装置８０を備えて連続フォーム１２の表面側と裏面側の両面に印刷が施される。第１の印刷装置１７から第４の印刷装置２０は第１の実施形態に示された印刷装置１７〜２０と同様であり、同じ構成には同一符号を付して重複説明を省略する。
【００７７】
第５の印刷装置２１は、第２ないし第４の印刷装置１８，１９，２０の各無端帯状印刷プレート１３ｂ〜１３ｄで連続フォーム１２の各単位フォーム１４のページ仕分けコード欄３５Ａに３組のページアドレス番号が印刷された上で、第５の印刷装置２１の無端帯状印刷プレート１３ｅにより４組目のページアドレス番号を印刷するものである。連続フォーム１２には、第２ないし第５の印刷装置１８〜２１により、各単位フォーム１４のページ仕分けコード欄３５Ａに｛複数桁（２桁）＊複数組（４組）｝のページアドレス番号が数字印刷される。具体的には、連続フォーム１２の各単位フォーム１４のページ仕分けコード欄３５Ａに｛複数桁＊複数組｝、具体的には｛２桁＊４組｝で８桁のページアドレス番号が印刷される。
【００７８】
このとき、第２の印刷装置１８の無端帯状印刷プレート１３ｂは、１回転で１組目の複数桁（２桁）の数字を順次ｎの単位フォーム１４、例えば５０枚の単位フォームに印刷し、連続フォーム１２の各単位フォーム１４に連続的に印刷される。第３の印刷装置１９の無端帯状印刷プレート１３ｃは１回転目で２組目の複数桁（２桁）の数字を（ｎ＋１）枚または（ｎ−１）枚の単位フォームに印刷し、第４の印刷装置２０の無端帯状印刷プレート１３ｄは１回転で３組目の複数桁（２桁）の数字を（ｎ＋２）枚または（ｎ−２）枚の単位フォームに印刷し、第５の印刷装置２１の無端帯状印刷プレート１３ｅは１回転で４組目の複数桁（２桁）の数字を（ｎ＋３）枚または（ｎ−３）枚の単位フォームに印刷するように設定される。
【００７９】
そして、第２の印刷装置１８から第５の印刷装置２１による無端帯状印刷プレート１３ｂ〜１３ｅを用いて、各単位フォーム１４のページ仕分けコード欄３５Ａの印刷が整列するように位置取りされて行なわれる。第２の印刷装置１８ないし第５の印刷装置２１は、それぞれ複数桁（２桁）の数字を１組ずつ、複数組（４組）使用してページ仕分けコード欄３５Ａにページアドレス番号が印刷される。ページアドレス番号は、ページ仕分けコード欄３５Ａに１０Ｐ〜１４Ｐの大きさ（フォント）の数字が印刷され、ページ仕分けコード欄３５Ａの直下近傍に、例えば１Ｐ〜２Ｐの大きさ（フォント）のページアドレス番号が第１の実施形態と同様に印刷される。
【００８０】
第２の印刷装置１８から第５の印刷装置２１に用いられる各無端帯状印刷プレート１３ｂ〜１３ｅは、１回転する間に各組の印刷プレート毎に複数桁（２桁）の数字が１つずつ増加したり、減少するようにレイアウトされる。したがって、第２ないし第５の印刷装置１８〜２１の各無端帯状印刷プレート１３ｂ〜１３ｅがそれぞれ回転する毎に、連続フォーム１２の各単位フォーム１４のページ仕分けコード欄３５Ａに印刷されるページアドレス番号は、｛ｎ＊（ｎ＋１）＊（ｎ＋２）＊（ｎ＋３）｝または｛ｎ＊（ｎ−１）＊（ｎ−２）＊（ｎ−３）｝の最小公倍数までは同じページアドレス番号の数字が表われない。
【００８１】
具体的には、第２の印刷装置１８の無端帯状印刷プレート１３ｂに形成される１組目の複数桁（２桁）の数字列がｎ＝０１，０２，…，４９，５０の５０個であるとすると、第３の印刷装置１９の無端帯状態印刷プレート１３ｃは、（ｎ＋１）または（ｎ−１）の５１または４９個であり、第４の印刷装置２０の無端帯状印刷プレート１３ｄは（ｎ＋２）または（ｎ−２）の５２または４８個であり、さらに、第５の印刷装置２１の無端帯状印刷プレート１３ｅは（ｎ＋３）または（ｎ−３）の５３または４７個である。
【００８２】
今、第２の印刷装置１８から第５の印刷装置２１において、各無端帯状印刷プレート１３ｂ〜１３ｅの複数桁（２桁）の数字ｎが、各組毎に１つずつ増えるとすると、連続フォーム１２の各単位フォーム１４のページ仕分けコード番号は、｛ｎ＊（ｎ＋１）＊（ｎ＋２）＊（ｎ＋３）｝の最小公倍数である｛５０＊５１＊５２＊５３｝＝７，０２７，８００となる。連続フォーム１２の各単位フォーム１４は、７，０２７，８００枚相当分のページ仕分けコード欄３５Ａに同じページアドレス番号が印刷されることがない。逆に、連続フォーム１２の各単位フォーム１４は、ページ仕分けコード欄３５Ａに最初のページアドレス番号を印刷した後、次に同じページアドレス番号が表われるのは、７，０２７，８０１枚目の単位フォーム１４である。
【００８３】
このように、第２の印刷装置１８から第５の印刷装置２１の４つの印刷装置を用いて４つの無端帯状印刷プレート１３ｂ〜１３ｅにより連続フォーム１２のページ仕分けコード欄３５Ａに２桁（複数桁）ずつ４組のページアドレス番号を印刷すると、連続フォーム１２の各単位フォーム１４に印刷されるページアドレス番号は、単位フォーム１４が７，０２７，８００枚分全て異なる数字が印刷される。
【００８４】
連続フォーム１２のページ仕分けコード欄３５Ａに第２の印刷装置１８から第５の印刷装置２１でページアドレス番号を印刷した後、連続フォーム１２にはフォーム反転装置８０に送られて、連続フォーム１２はフォーム表裏が反転される。
【００８５】
フォーム反転装置８０は、図１３に示すように構成され、搬送されてくる連続フォーム１２を、走行方向に対し４５度傾斜した下方のガイドバー８３に案内されて側外方に走行が案内された後、回転自在のガイドローラ８４にて反転される。ガイドローラ８４では、連続フォーム１２が下方から上方に案内されて折り返され、反転される。折り返されて反転された連続フォーム１２は、上方のガイドバー８５に導かれ、この上方のガイドバー８５にて走行方向が直交するように代えられる。上方のガイドバー８５は、平面視で下方のガイドバー８３に対し、直交するように交差しており、上方のガイドバー８５で向きが直角に変えられた連続フォーム１２は、フォーム表裏が反転されてフォーム裏面１４ｂ側を上にし第６の印刷装置２２に案内される。
【００８６】
第６の印刷装置２２では、第１ないし第５の印刷装置１７〜２１と同様、無端帯状印刷プレート１３ｆとインクローラ２５ｆを用いて、連続フォーム１２の裏面１４ｂ側に連続的に印刷が施される。第６の印刷装置２２では、第１の印刷装置１７と同様の印刷が連続フォーム１２の裏面１４ｂ側に施される。連続フォーム１２は、第１の印刷装置１７および第６の印刷装置２２によりフォーム表裏両面に一連の印刷を連続して施すことができる。第６の印刷装置２２では、連続フォーム１２の裏面１４ｂ側にも、各単位フォームが形成され、各単位フォームに、最終ページ側から順次ページが小さくなる方向に印刷される。第６の印刷装置２２は第１の印刷装置１７と同様な印刷を施してもよいが、第１の印刷装置１７と同様の印刷ではなく、透かしインクを用いて透かし模様印刷を施すようにしてもよい。
【００８７】
さらに、第６の印刷装置２２で印刷が行なわれた後、フォーム両面に印刷された連続フォーム１２は、図１２に示すように、検査装置４４に導かれて、印刷の位置ずれや印刷ムラ等が検査される。検査された連続フォーム１２は、続いて、切断機４５に案内され、この切断機４５で連続フォーム１２のスリッタ線によりマージナルゾーン１５が切り落とされ、除去される。検査後に連続フォーム１２をコンピュータ等で後処理する必要がある場合には、連続フォーム１２のマージナルゾーン１５を切断機４５で切断することなく、切断機４５を素通りしてジグザグ折り装置４６に送られる。
【００８８】
ジグザグ折り装置４６は、例えば、特許第５３２４９５０号公報に記載された筋折り付ジグザグ折り装置が用いられる。このジグザグ折り装置４６は、連続フォーム１２のフォーム幅方向に沿って単位フォーム１４（１２ａ，１２ｂ）毎に交互に山状凸部と谷状凹部のフォーム筋折り付け（折目）が行なわれる。ジグザグ折り装置４６は筋折り付けプレス等のプレス折り装置を備えている。この筋折り付けプレスにより連続フォーム１２は単位フォーム１４（１２ａ，１２ｂ）毎にジグザグ折りを容易にする山部と谷部を交互に形成される。
【００８９】
また、連続フォーム１２は第１ないし第６の印刷装置１７〜２２で順次印刷されており、フォーム表裏の両面が印刷された連続フォーム１２は筋折り付けプレスにより山折り（山状凸部）と谷折り（谷状凹部）がフォーム幅方向に形成される。連続フォーム１２はジグザグ折り装置４６により単位フォーム１４（１２ａ，１２ｂ）毎にジグザグ状に折り畳まれて漸次スタッカ４７上に搬出され、堆積される。
【００９０】
スタッカ４７上にジグザグ状に折り畳まれた連続フォーム１２は、図１４に示すように、所要数ｎ例えば５０枚の単位フォーム１４（１２ａ，１２ｂ）毎に単位フォーム群４８の単位ユニットが構成される。単位フォーム群４８の単位ユニット毎にフォーム幅方向に切断して切り離せば、最小単位を構成する単位フォーム群４８の単位ユニットがジグザグ折りして構成され、各単位ユニット４８毎にジグザグ（経本）折りの冊単位のノートブック５０が製作される。複数の単位ユニット、例えば２つの単位ユニット毎にフォーム幅方向に切断すれば、複数（例えば２つ）の単位ユニットから構成されるジグザグ折りのノートブックが冊単位で製作される。
【００９１】
［ノートブック］
ジグザグ折りで折り畳まれて単位フォーム群４８毎に形成される単位ユニットのノートブック５０Ａは、一例として図１４に示すように構成される。このノートブック５０Ａは、例えば連続フォーム１２から例えば５０枚相当分の単位フォーム１４をジグザグ折りにして重ねられた単位フォーム群４８で１冊分の単位ユニットのノートブック５０Ａが構成される。単位ユニットのノートブック５０Ａは連続フォーム１２の表面（一面）側を単位フォーム１，単位フォーム２，単位フォーム３，…，単位フォーム４９および単位フォーム５０として５０枚相当分のページ面（フォーム面）を構成している。連続フォーム１２の裏面（他面）１４ｂ側は第６の印刷装置２２により印刷が施される。その際、連続フォーム１２の裏面１４ｂ側は、各単位フォーム群４８の最終ページ分の単位フォームから始端側の単位フォームに向けて順次ページ付けされ印刷が施される。
【００９２】
単位フォーム群４８からなる単位ユニットのノートブック５０Ａは、例えばＡ４サイズあるいはＢ５サイズで構成され、このままでノートブック５０が構成される。単位フォーム群４８の最初の単位フォームのフォーム表面側の単位フォーム１４は表表紙を構成しており、同じく単位フォーム群４８の最終の単位フォームのフォーム裏面側は裏表紙を構成してもよい。したがって、単位ユニットのノートブック５０は１冊で、フォーム表面側とフォーム裏面側に単位フォーム１，単位フォーム２，…，単位フォーム５０で、例えば５０ページ相当分ずつの単位フォーム群４８からなるノートブック５０Ａの中紙が形成され、フォーム表裏両面でほぼ１００ページ相当分のジグザグ折りの単位フォーム群４８のノートブック５０Ａが構成される。複数の単位ユニットから構成されるジグザグ折りのノートブック５０では、単位ユニットのノートブック５０Ａの複数倍のボリュームのノートブックが構成される。
【００９３】
いずれにしても、ジグザグ折りのノートブック５０Ａは、展開して見開き可能であり、ノートブック５０Ａに記載したコンテンツ情報を見開き状態で見て確認することができ、確認作業が広い範囲に亘って比較しながら確認でき、作業効率を向上させることができる。
【００９４】
さらに、連続フォーム１２の両面に印刷されたノートブック５０Ａには、図１５に示すように、樹脂製、皮製、厚紙製あるいは木製のブックカバー８６が枚葉物で構成され、ブックカバー８６付のノートブックが作られる。ブックカバー８６は表表紙カバー８７と裏表紙カバー８８とで構成される。表表紙カバー８７の裏面には、図１６に示すように、連続フォーム１２の単位フォーム群４８の最初の裏面側が貼着され、裏表紙カバー８８の裏面には連続フォーム１２の単位フォーム群４８の最後の裏面側が貼着される。このようにして、ブックカバー８６付のノートブック５０Ａは各単位フォーム群４８がジグザグ折りされて経本折りのノートブック５０Ａが構成される。その際、連続フォーム１２の裏面１４ｂ側は、各単位フォーム群４８の最初のページ分と最後のページ分に相当する単位フォームには印刷が施されていない。
【００９５】
また、ジグザグ折りされたノートブック５０Ａにブックカバー８６を付けない部分には、各単位フォーム群４８から構成される単位フォームのノートブック５０Ａは、最初の単位フォームの裏面側に、図１７または図１８に示されるページ管理表９０が貼着される。ページ管理表９０は、枚葉物でコンピュータ処理されて構成される。図１７に示されるページ管理表９０は、最初に作成された例えば１冊目のノートブック５０Ａ用であり、１冊目のノートブック５０Ａに貼着される。図１８に示されるページ管理表９０は、８番目に作成された例えば８冊目のノートブック５０Ａ用であり、８冊目のノートブック５０Ａに貼着される。
【００９６】
ページ管理表９０には、何冊目に作製されたノートブック５０Ａであるかを表示する冊数Ｎｏ表示欄９１、ページアドレス番号を一覧表示した（ページ）仕分けコード欄９２、ページ表示欄９３、コンテンツ（Ｃｏｎｔｅｎｔｓ）欄９４およびＮｏｔｅｓ（備考）欄９５等が表示される。コンテンツ欄９４は、各単位フォーム１４毎にページ記載内容等の要約（タイトル）が表示される。（ページ）仕分けコード欄９２には、ノートブック５０Ａを構成する各単位フォーム群４８の単位フォーム１４（１２ａ，１２ｂ）に付されたページ仕分けコード欄３５Ａのページアドレス番号に対応するもので、仕分けコード欄９２には、１冊分のノートブック５０Ａの各単位フォーム群４８に表示された単位フォーム毎のページアドレス番号が、｛複数組（２桁）＊複数組（４組）｝の、例えば８桁のページアドレス番号として一覧表示される。
【００９７】
加えて、ノートブック５０Ａのページ管理表９０には、得意先を記号や番号で表示するクライアント欄（図示省略）、何冊目のノートブック５０Ａのページ番号を表示する通しページ表示欄９６、年月日表示欄９７、サイン記載欄９８が、必要に応じて構成される。
【００９８】
ノートブック５０Ａは、ページ管理表９０を見れば、ノートブック５０Ａの使用形態に応じて、種々のマネジメント（管理）をページ単位で観察することができる。
【００９９】
また、ブックカバー８６付のノートブック５０Ａを作製した場合、ページ管理表９０は連続フォーム１２の裏面側の所要ページのフォーム面に貼着してもよいが、枚葉物のページ管理表９０は、各冊のノートブック５０Ａ毎に挟持させて保管するようにしてもよい。
【０１００】
さらに、第２の実施形態のノートブック５０Ａにおいても、第１の実施形態のノートブック５０と同様、ノートブック５０Ａを個々の冊（単位ユニット）毎に配布先等の管理が可能なノートブック管理表を図１１に示すものと同様にして用意するようにしてもよい。
【０１０１】
［他の実施形態］
本発明の実施形態では、ノートブック５０を研究開発ノートあるいは技術開発ノートに適したノートとして利用した例を説明したが、ノートブック５０は、危険管理ノートや情報管理ノート、さらには看護ノートとして活用することもできる。
【０１０２】
危険管理ノートの例としては、個人の身辺整理や自己管理に必要な種々の資産、負債、病気、介護等の日常の暮らしに必要な個人の整理情報等を記入する、必要な情報記載欄を各単位フォームのノート欄に構成したもので、例えば著者：須斎美智子氏、特定非営利活動法人ライフ・アンド・エンディングセンターの発表に係る“もしもノート”が参照される。
【０１０３】
また、情報管理ノートの例としては、気になる情報を収集する情報整理欄、情報加工欄、情報点検欄、情報活用欄等が各単位フォームのノート欄に構成されたもので、北真也氏の著作に係る“ＥＶＥＲ  ＮＯＴＥ”が参照される。
【０１０４】
さらに、本発明の実施形態では、ノートブック製造装置を用いて連続フォームから単位フォーム群の単位ユニットを１つずつ連続的に製作する例を説明したが、フォーム幅の広い連続フォームを用いて、単位フォーム群の単位ユニットを並列的に複数、例えば２個ずつ製作するノートブック製造装置で製造するようにしてもよい。
【０１０５】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で種々の省略、置き換え、変更を行なうことができる。これらの実施形態やその変形は、発明の範囲や要旨に含まれるとともに、特許請求の範囲に記載された発明とその均等の範囲に含まれる。
【符号の説明】
【０１０６】
１０，１０Ａ  ノートブック製造装置
１１  給紙ロール
１２  連続フォーム（連続紙、ロール紙）
１３  無端帯状印刷プレート
１４  単位フォーム
１５  マージナルゾーン
１６  パンチング孔
１７  第１の印刷装置
１８  第２の印刷装置
１９  第３の印刷装置
２０  第４の印刷装置
２１  第５の印刷装置
２２  第６の印刷装置
２３  プレートシリンダ（版胴）
２４  ガイドシリンダ（ガイドローラ）
２５  インクローラ
２６  プレートシリンダ
３０  メイン記載欄
３１  タイトル記載欄
３２  記入者および日付記載欄
３３  確認者および日付記載欄
３４  ページ付け欄
３５  ページ仕分けコード欄
３６  クライアント表示欄
３７  インデックス表示欄
３８  横罫線
３９  縦罫線
４０  透かし模様
４４  検査装置
４５  切断機
４６  ジグザグ折り装置
４７  スタッカ
４８  単位フォーム群（単位ユニット）
５０，５０Ａ  ノートブック
５５  ブックカバー
５６  表表紙
５７  裏表紙
５８  背表紙
５９  タイトル欄
６０  ページ管理表
６２  冊（数）Ｎｏ表示欄
６３  （ページ）仕分けコード欄
６４  ページ表示欄
６５  コンテンツ（目次）欄
６６  Ｎｏｔｅｓ（備考）欄
６８  通し頁表示欄
６９  年月日表示欄
７０  サイン記載欄
７５  ノートブック管理表
８０  フォーム反転装置
８３，８５  ガイドバー
８４  ガイドローラ
８６  ブックカバー
８７  表表紙カバー
８８  裏表紙カバー
９０  ページ管理表
９１  冊数Ｎｏ表示欄
９２  （ページ）仕分けコード欄
９３  ページ表示欄
９４  コンテンツ（目次，Ｃｏｎｔｅｎｔｓ）欄
９５  Ｎｏｔｅｓ（備考）欄
９６  ページ表示欄
９７  年月日表示欄
９８  サイン記載欄
【図１】
2016016636.tif 000003
【図２】
2016016636.tif 000004
【図３】
2016016636.tif 000005
【図４】
2016016636.tif 000006
【図５】
2016016636.tif 000007
【図６】
2016016636.tif 000008
【図７】
2016016636.tif 000009
【図８】
2016016636.tif 000010
【図９】
2016016636.tif 000011
【図１０】
2016016636.tif 000012
【図１１】
2016016636.tif 000013
【図１２】
2016016636.tif 000014
【図１３】
2016016636.tif 000015
【図１４】
2016016636.tif 000016
【図１５】
2016016636.tif 000017
【図１６】
2016016636.tif 000018
【図１７】
2016016636.tif 000019
【図１８】
2016016636.tif 000020
【図１９】
2016016636.tif 000021